(57)【要約】【課題】制御素子が不正取り替え、不正改造される事態を効果的に防止することが可能な遊技機用制御装置を提供する。【解決手段】制御装置１は、上カバー６の各上固着翼２６，２６に切断容易に設けられた各ネジ保持部９，９・・の内の左右の一つずつを、ワンウェイタイプのネジ１３によって、下カバー５の下固着翼２７，２７のネジ係合体３２，３２に螺着することによって、上カバー６と下カバー５とが合着した状態になっている。また、ネジ保持部９，９とネジ係合体３２，３２との螺着部分においては、ネジ１３の先端が、下カバー５内で抜止め部材３によって抜止めされた状態になっている。【選択図】図２
2009160067.tif 000002
【特許請求の範囲】
【請求項１】
切断可能な複数のネジ保持部を端縁に設けた上カバーと、その上カバーと合致する下カバーとによって、制御素子を設置した基板が覆われているとともに、ネジ保持部の内の少なくとも１つが、ワンウェイタイプのネジによって下カバーに螺着された遊技機用制御装置であって、
前記ネジの先端が、下カバー内で抜止め部材によって抜止めされていることを特徴とする遊技機用制御装置。
【請求項２】
抜止め部材が、ネジの軸方向に対して直交する面に、ネジの先端を挿通させるための挿通孔を設け、そのネジ挿通孔の周囲に、ネジ挿通孔の中心に対して等角度の間隔となるように戻しを設けたものであることを特徴とする請求項１に記載の遊技機用制御装置。
【発明の詳細な説明】
【技術分野】
【０００１】
本発明は、パチンコ機、スロットマシーン等の遊技機に用いる遊技機用制御装置に関するものである。
【背景技術】
【０００２】
遊技機の一種であるパチンコ機には、制御装置が設けられており、内部の基板上にＲＯＭやＣＰＵ等の制御素子が設置されている。かかる制御素子は、パチンコ機の作動内容を制御するものであるため、パチンコ機が遊技者にとって都合良く作動するように、不正に取り替えられたり不正に改造されたりすることがある。このため、かかる不正を防止するために、従来の遊技機用制御装置の中には、切断可能な複数のネジ保持部を左右両端縁に設けた上カバーと、その上カバーと合致する下カバーとによって、制御素子を設置した基板を覆うとともに、左右のネジ保持部の内の一つずつを、ワンウェイタイプのネジを用いて、ドライバ等では外れないように下カバーに螺着することにより、ネジ保持部を切断しなければ上カバーを取り外すことができないようにして、上カバーの取り外しの痕跡が残るように構成したものがある。
【０００３】
【特許文献１】特開平１１−０００４４４号公報
【発明の開示】
【発明が解決しようとする課題】
【０００４】
しかしながら、上記した切断可能なネジ保持部を設けた遊技機用制御装置は、ワンウェイタイプのネジのヘッドに電気ドリル等で孔をあけられると、それらの孔を利用してネジを回転させることが可能となってしまうため、ネジ保持部を切断することなく上カバーを取り外すことができてしまう。このため、近年では、制御素子の不正取り替え、不正改造を効果的に防止することができなくなっていた。
【０００５】
本発明の目的は、上記従来の遊技機用制御装置の問題点を解消し、制御素子の不正取り替え、不正改造を効果的に防止することが可能な遊技機用制御装置を提供することにある。
【課題を解決するための手段】
【０００６】
本発明の内、請求項１に記載された発明は、切断可能な複数のネジ保持部を端縁に設けた上カバーと、その上カバーと合致する下カバーとによって、制御素子を設置した基板が覆われているとともに、ネジ保持部の内の少なくとも１つが、ワンウェイタイプのネジによって下カバーに螺着された遊技機用制御装置であって、前記ネジの先端が、下カバー内で抜止め部材によって抜止めされていることを特徴とするものである。
【０００７】
請求項２に記載された発明は、請求項１に記載された発明において、抜止め部材が、ネジの軸方向に対して直交する面に、ネジの先端を挿通させるための挿通孔を設け、そのネジ挿通孔の周囲に、ネジ挿通孔の中心に対して等角度の間隔となるように戻しを設けたものであることを特徴とするものである。
【発明の効果】
【０００８】
請求項１に記載された制御装置は、上カバーと下カバーとを螺着するためのワンウェイタイプのネジの先端が、下カバー内で抜止め部材によって抜止めされているため、電気ドリル等を利用して無理矢理にネジを回転させても、抜止め部材がネジの先端と係合し合った状態を保持するので、ネジが外れにくく、取付片を切断することなく上カバーが不正に取り外される事態を効果的に防止することができる。したがって、請求項１に記載された発明の制御装置によれば、制御素子の不正取り替え、不正改造を効果的に防止することができる。
【０００９】
請求項２に記載された発明の制御装置は、抜止め部材が、ネジの軸方向に対して直交する面に、ネジの先端を挿通させるための挿通孔を設け、そのネジ挿通孔の周囲に戻しを設けたものであるため、無理矢理にネジを回転させてもネジがきわめて外れにくいので、取付片を切断することなく上カバーが不正に取り外される事態をより効果的に防止することができ、制御素子の不正取り替え、不正改造を一層効果的に防止することができる。
【発明を実施するための最良の形態】
【００１０】
以下、本発明の遊技機用制御装置（以下、単に制御装置という）について、図面に基づいて詳細に説明する。図１は、制御装置１の正面図であり、図２は、図１におけるＡ−Ａ線断面を示す説明図である（なお、図２（ｂ）は、図２（ａ）の一部を拡大して示したものである）。制御装置１は、ＲＯＭ８やＣＰＵ等の種々の制御素子を搭載した基板４ａ，４ｂ、透明な合成樹脂製の上カバー６および下カバー５等によって構成されている。
【００１１】
上カバー６は、幅広な箱形に形成されており、左右両サイドに上固着翼２６，２６が設けられている。各上固着翼２６，２６の上端縁には、それぞれ、係止孔１２が穿設されている。さらに、各係止孔１２，１２の下方には、それぞれ、略円筒状の４個のネジ保持部９，９・・が、左右に位置した切断可能な取付片１０，１０によって、各上固着翼２６，２６の前面に一体的に連設されており、後方に突出した状態になっている。
【００１２】
また、図２の如く、各ネジ保持部９の略中央には、仕切板３５が形成されており、仕切板３５の中央には、ネジ挿通孔３６が穿設されている。さらに、仕切板３５の裏側には、２つの弾性片２８，２８が後方に突出するように設けられている。そして、各ネジ保持部９，９・・においては、ワンウェイタイプのネジ１３が、ネジ挿通孔３６に挿通され、弾性片２８，２８によって先端を把持された状態で保持されている。
【００１３】
ワンウェイタイプのネジ１３は、ヘッドにネジ突起が突設されており、軸部の先端際にネジ溝が設けられている。ネジ突起は、ヘッドの外面に対して垂直な面と、ヘッドの外面に対して緩やかに傾斜した面とを有している。このため、ネジ突起の垂直面にマイナスのドライバを押し当てて右向きに回転させた場合には、ドライバとネジ突起の垂直面とが係合して回転するが、ドライバを左向きに回転させた場合には、ヘッド上でドライバとネジ突起とが係合せず回転しない。
【００１４】
一方、下カバー５は、上カバー６と同一幅に形成されており、上カバー６と同様に、左右両サイドに下固着翼２７，２７が連設されている。そして、各下固着翼２７，２７の上端縁には、それぞれ、先端を矢尻状に形成した係止突片１１が突設されている。また、図３は、各下固着翼２７の正面を示したものであり、各下固着翼２７，２７の上カバー６の各ネジ保持部９，９・・と対応する位置には、ネジ孔３６を穿設してなるネジ係合体３２，３２・・が、支持アーム３３，３３および支持リブ３４，３４によって左右の壁板２９，２９等に支持された状態で設けられている。そして、それらのネジ係合体３２，３２・・の下側には、空洞部２，２・・が形成されており、それらの空洞部２，２・・の内部には、それぞれ、抜止め部材３が内蔵された状態になっている。
【００１５】
また、図４は、抜止め部材３を示したものであり、抜止め部材３は、矩形状の金属板の左右を同一方向に折り曲げることによって断面コ字状に形成されている。そして、平板状の当接面１８の中央には、ネジ挿通孔１９が穿設されており、そのネジ挿通孔１９の周囲には、略長方形状の３個の戻し２０，２０・・が、ネジ挿通孔１９の中心に対して約６０度の等角度間隔となるように一体的に設けられている。各戻し２０，２０・・は、当接面に対して約２５度下向きに傾斜した状態になっている。
【００１６】
制御装置１は、基板４ａ，４ｂを下カバー５の内面に螺着した状態で、上カバー６の各上固着翼２６，２６を下カバー５の各下固着翼２７，２７に重ね合わせ、各係止突片１１，１１を各係止孔１２，１２に係止させた状態で、ワンウェイタイプのネジ１３，１３によって、左側の最上方のネジ保持部９（「１」を付したネジ保持部９）を左側の最上方のネジ係合体３２に螺着し、右側の最下方のネジ保持部９（「１」を付したネジ保持部９）を右側の最下方のネジ係合体３２に螺着することによって、組み立てられている。そして、ＲＯＭ８やＣＰＵ等の種々の制御素子を搭載した基板４ａ，４ｂが、上カバー６および下カバー５によって覆われた状態になっている（なお、図１の如く、基板４ａ，４ｂは、上側の一部のみ露出した状態になっている）。また、上カバー６と下カバー５との螺着部分においては、ネジ係合体３２に螺着されたワンウェイタイプのネジ１３の先端が、抜止め部材３のネジ挿通孔１９を通過した状態となっている。
【００１７】
上記の如く構成された制御装置１は、パチンコ機の裏面側の機構板等に設置された状態で使用される。そして、搭載されたＲＯＭ８やＣＰＵ等の種々の制御素子によって、パチンコ機の作動内容を制御する。
【００１８】
また、制御装置１は、上カバー６のネジ保持部９，９と下カバー５のネジ係合体３２，３２とが、ワンウェイタイプのネジ１３，１３によって螺着されているため、ネジ１３を螺着時と反対方向（左回り）に回転させても、ネジ保持部９とネジ係合体３２との螺着状態が解除されない。それゆえ、上カバー６を取り外す場合には、ネジ係合体３２，３２と螺着したネジ保持部９，９の前方に設けられた２つの取付片１０，１０・・を、ニッパ等の工具で切断し、かかるネジ保持部９，９を上カバー６から切り離すことによって、上カバー６と下カバー５とを分離しなければならない。
【００１９】
また、再度 上カバー６を下カバー５に合着させる場合には、左側の最上方のネジ係合体３２および右側の最下方のネジ保持部９以外のネジ保持部９，９（すなわち、未だネジ係合体３２と螺着していない同じ番号を付したネジ保持部９，９同士）を、それぞれ、ネジ１３，１３により同位置のネジ係合体３２，３２と螺着すれば良い。それゆえ、一旦、上カバー６と下カバー５とを分離した後でも、再度、上カバー６を下カバー５に合着させることができ、そのような上カバー６、下カバー５の分離、合着を４回繰り返すことができる。
【００２０】
さらに、ネジ保持部９，９とネジ係合体３２，３２との螺着部分においては、ネジ係合体３２に螺着されたワンウェイタイプのネジ１３の先端が、抜止め部材３のネジ挿通孔１９を通過した状態となっており、ネジ挿通孔１９の周囲の戻し２０，２０・・が、ネジ１３の先端のネジ溝よりも基端側に位置した状態になっている。したがって、ヘッドに電気ドリル等で孔をあけて無理矢理にネジ１３を回転させても、抜止め部材３の戻し２０，２０・・がネジ１３の先端が外れる事態を阻止するので、上カバー６と下カバー５との合着状態が保持される。
【００２１】
制御装置１は、上記の如く、上カバー６を下カバー５と分離するためには、取付片１０，１０を切断することによりネジ係合体３２，３２と螺着されたネジ保持部９，９を上カバー６から切り離さなければならないため、上カバー６が取り外された場合には、必ずその痕跡が残る。それゆえ、上カバー６の開閉の有無を容易に把握することができる。それにも拘わらず、各取付片１０，１０が容易に切断可能な構造を有しているため、それらの取付片１０，１０をニッパ等の工具で切断することによって、上カバー６を容易に取り外して、基板８上に設置された制御素子の内容をチェックすることができる。
【００２２】
その上、制御装置１は、ワンウェイタイプのネジ１３の先端が、下カバー５内で抜止め部材３によって抜止めされているので、ネジ１３，１３のヘッド１９に電気ドリル等で孔をあけて無理矢理にネジ１３を回転させても、ネジ１３が外れにくいため、取付片１０，１０を切断することなく上カバー６が不正に取り外される事態を効果的に防止することができる。したがって、制御装置１によれば、ＲＯＭ８やＣＰＵ等の制御素子の不正取り替え、不正改造を効果的に防止することができる。
【００２３】
また、制御装置１は、抜止め部材３が、ネジ１３の軸方向に対して直交する面（当接面１８）に、ネジ１３の先端を挿通させるためのネジ挿通孔１９を設け、そのネジ挿通孔１９の周囲に、ネジ挿通孔１９の中心に対して等角度の間隔となるように戻し２０，２０・・を設けたものであるため、無理矢理にネジ１３を回転させてもネジ１３がきわめて外れにくいので、取付片１０，１０を切断することなく上カバー６が不正に取り外される事態を、より効果的に防止することができる。
【００２４】
なお、本発明の制御装置は、上記実施形態の態様に何ら限定されるものではなく、基板、上カバー、下カバー、ワンウェイタイプのネジ、抜止め部材等の形状、構造等の構成を本発明の趣旨を逸脱しない範囲内で適宜変更することができる。
【００２５】
たとえば、上カバーの各上固着翼に設けるネジ保持部の個数や、下カバーの左右の各下固着翼に設ける取付タブの個数は、４個に限定されず、３個以下あるいは５個以上でも良い。また、各上固着翼とネジ保持部とを連結する取付片の個数も、２個に限定されず、１個でも良いし、３個以上でも良い。さらに、上固着翼や下固着翼の設置位置は、上下カバーの左右両端縁に限定されず、上下カバーの上下両端縁でも良い。
【００２６】
また、抜止め部材は、上記実施形態の如く、ネジ挿通孔の周囲に３個の戻しを設けたものに限定されず、２個以下あるいは４個以上の戻しをネジ挿通孔の周囲に設けたものでも良い。さらに、上記実施形態の如く、複数の戻しをネジ挿通孔の周囲に等角度間隔で設けたものに限定されず、戻しの設置位置をネジ挿通孔の周囲の一部に偏らせることも可能である。加えて、抜止め部材は、上記実施形態の如く、矩形状の金属板の左右を同一方向に折り曲げた断面コ字状のものに限定されず、単純な平板状のもの等に変更することも可能である。なお、上記実施形態の如く、抜止め部材を断面コ字状のものとした場合には、抜止め部材の強度が飛躍的に増大するため、抜止め部材による抜止め機能の精度がきわめて高くなる、というメリットがある。また、抜止め部材は、金属製のものに限定されず、強固な材質であれば、他の材料からなるものに変更することも可能である。加えて、金属と他の材料との複合部材とすることも可能である。
【００２７】
加えて、ネジ保持部を螺着するために用いるワンウェイタイプのネジは、上記実施形態の如く、先端が平坦なネジに限定されず、先端の尖った木ネジ等の他の形状を有するものでも良い。加えて、ヘッドに２個のネジ突起が設けられたものに限定されず、４個のネジ突起が設けられたプラスタイプのドライバで回転可能なもの等でも良い。
【００２８】
なお、上記実施形態においてはパチンコ機に使用される制御装置について説明したが、本発明の制御装置が使用される遊技機は、スロットマシーンやテレビゲーム等のパチンコ機以外の遊技機でも良い。
【図面の簡単な説明】
【００２９】
【図１】遊技機用制御装置の正面図である。
【図２】図１におけるＡ−Ａ線断面を示す説明図である（ｂはａにおける波線部分の拡大図である）。
【図３】右側の下固着翼の正面を示す説明図である。
【図４】抜止め部材を示す説明図である（ａは正面図であり、ｂは平面図であり、ｃは右側面図であり、ｄは斜視図である）。
【符号の説明】
【００３０】
１・・制御装置
３・・抜止め部材
４ａ，４ｂ・・基板
５・・下カバー
６・・上カバー
８・・制御素子  
９・・ネジ保持部
１８・・当接面
１９・・ネジ挿通孔
２０・・戻し
【図１】
2009160067.tif 000003
【図２】
2009160067.tif 000004
【図３】
2009160067.tif 000005
【図４】
2009160067.tif 000006